(57)【要約】【課題】普及型の手振れ検出センサーを備えたビデオカメラを用いて、車両のドライブ中、その車両の前方の広範囲にわたる情景を容易に撮影、記録できるビデオステーション、ビデオカメラ、車載用ビデオカメラ装置及び車両を得ること。【解決手段】本発明の車載用ビデオカメラ装置１Ｂは、ドライブモードスイッチ１３１とシガーライター用電源２２０が接続されている受け端子１３０が形成されている搭載面１１１を備えた本発明のビデオステーション１００を車両２００のダッシュボード２１０上に固定し、前記搭載面１１１にドライブモード切替受け端子５０を備えた本発明のビデオカメラ１Ａを搭載して前記受け端子１３０とドライブモード切替受け端子５０とを接続することにより構成され、車両２００の運転中、手振れ検出センサー４０の揺れ具合に応じてフロントガラスを通して前方の映像を記録媒体Ｍに時々刻々記録でき、或いは記録を停止するように構成されている。【選択図】図４
2006261865.tif 000002
【特許請求の範囲】
【請求項１】
ドライブモード切替手段を備えたビデオカメラを搭載する搭載手段と、
前記ドライブモード切替手段の接続端子に係合する受け端子と
を備えて構成されていることを特徴とするビデオステーション。
【請求項２】
車両の電源に接続する電源手段を備え、該車両の電源に接続された電源端子が前記受け端子に配設されていることを特徴とする請求項１に記載のビデオステーション。
【請求項３】
前記電源手段がシガーライター用電源に接続できる電源コードであることを特徴とする請求項２に記載のビデオステーション。
【請求項４】
前記ビデオカメラの撮影用ズームレンズの撮影範囲を更に広角度に広げるワイドコンバージョンレンズを備えていることを特徴とする請求項１に記載のビデオステーション。
【請求項５】
前記搭載手段は搭載台を備え、該搭載台の搭載部の所定の位置に前記受け端子が配設されていることを特徴とする請求項１に記載のビデオステーション。
【請求項６】
前記搭載手段は水平な搭載面を備えた搭載台からなり、該搭載面の周辺に、前記搭載面に垂直に支持板が配設されていることを特徴とする請求項１に記載のビデオステーション。
【請求項７】
前記搭載手段は前記搭載部に搭載されたビデオカメラを固定するための締結バンドを備えていることを特徴とする請求項１に記載のビデオステーション。
【請求項８】
映像撮影手段、映像記録再生手段、手振れ防止手段、映像記録再生表示手段、電源手段を備えたビデオカメラにおいて、
ドライブモード切替用端子を備えたドライブモード切替受け端子
を備えて構成されていることを特徴とするビデオカメラ。
【請求項９】
前記ドライブモード切替受け端子に車両の電源から電力を受給できる電源端子が配設されていることを特徴とする請求項８に記載のビデオカメラ。
【請求項１０】
前記ドライブモード切替受け端子がビデオカメラ本体の底面に配設されていることを特徴とする請求項８に記載のビデオカメラ。
【請求項１１】
赤外線送受信手段を備えていることを特徴とする請求項８乃至請求項１０に記載のビデオカメラ。
【請求項１２】
映像撮影手段、映像記録再生手段、手振れ防止手段、映像記録再生表示手段、電源手段、ドライブモード切替手段、制御手段を備えたビデオカメラにおいて、
前記映像撮影手段は、撮影用ズームレンズを備え、
前記映像記録再生手段は、記録媒体、該記録媒体に映像を記録し、記録された映像を再生する記録再生回路を備え、
前記手振れ防止手段は、手振れ検出センサーを備え、
前記映像記録再生表示手段は、前記記録媒体に記録される映像、前記記録媒体に記録された映像、前記制御手段からの制御情報を表示する映像表示装置を備え、
前記電源手段は車両用電源或いは着脱可能なバッテリからなり、
前記ドライブモード切替手段は、前記ビデオカメラを通常の記録再生動作モードとドライブ記録モードに切替える制御回路／機構を備え、
前記制御手段は、前記ビデオカメラが車両に搭載されたことを検知し、前記制御回路／機構を制御して、前記撮影用ズームレンズを広角にし、前記記録再生回路を前記ドライブ記録モードに切り替え、前記手振れ検出センサーの作動中、前記撮影用ズームレンズを通じて撮影した映像を前記記録媒体に記録すると共に前記映像表示装置に表示し、前記手振れ検出センサーが所定の時間静止した時、前記撮影、記録を停止させる
ことを特徴とする車載用ビデオカメラ装置。
【請求項１３】
前記記録媒体への記録は所要の時間間隔で所要の時間づつ行われることを特徴とする請求項１２に記載の車載用ビデオカメラ装置。
【請求項１４】
前記記録媒体への映像の記録は前記記録媒体の記録可能時間残量に応じて所要の時間間隔で所要の時間づつ行われ、前記記録可能時間残量が無くなれば、前記記録可能時間残量の初めに戻って後続の映像を上書きすることを特徴とする請求項１２に記載の車載用ビデオカメラ装置。  
【請求項１５】
赤外線送受信手段を備えていることを特徴とする請求項１２に記載の車載用ビデオカメラ装置。
【請求項１６】
ダッシュボードのドライバー位置の近傍にビデオカメラを搭載できる搭載面と、該ビデオカメラをドライブ記録モードに切り替えられるドライブモードスイッチと電源コンセントとを備えたビデオステーションが予め搭載されていることを特徴とする車両。
【発明の詳細な説明】
【技術分野】
【０００１】
本発明は、ビデオカメラ、特にコンシューマ用の小型のビデオカメラを車両に取り付けて、車両のドライブ中、運転席から見える範囲の映像を記録できるビデオステーション、ビデオカメラ、車載用ビデオカメラ装置及び車両に関するものである。
【背景技術】
【０００２】
従来、この種のビデオカメラは車両の運転席近傍に取り付けられた専用のもので、ドライブ中、その運転席から見える範囲の映像を常時撮影し、記録媒体に記録し、事故が生じた時に、所定の短い時間経過後まで記録した後、その記録を停止し、その事故直前から直後の撮影映像を再生して、その事故が如何なる原因で生じたかを検証できるように構成されている。
【０００３】
このようなドライブ状態を撮影できる機能を備えたビデオカメラは業務用車両のみならず、全ての個人の乗用車にも搭載されることが望ましい。
【０００４】
しかし、まだこのようなビデオカメラは実際には一部のタクシーなどの業務用車両のみにしか搭載されていない。それは専用装置であるが故に高価なものであり、個人の乗用車などには搭載し難い。
【０００５】
一方でコンシューマ用ビデオカメラは年々安価になり、主に家庭用として大多数の家庭に普及している。本発明者はそのようなビデオカメラを利用し、若干改良することによりドライブ時の車両前方の映像を撮影できるビデオカメラが得られるのではないかと考え、本発明のビデオステーション、ビデオカメラ、車載用ビデオカメラ装置及び車両を開発した。
【０００６】
先ず、図を用いて、前提となる現用のビデオカメラを説明する。
【０００７】
図１０は従来技術のビデオカメラの撮影レンズ側から見た外観斜視図、図１１は図１０のビデオカメラの液晶モニターを開き、ビューファインダーから見た外観斜視図、図１２は図１０に示した液晶モニターに映出される画面の平面図、図１３は図１０に示したビデオカメラの正面窓部とその内方に組み込まれている電子回路基板とを示していて、同図Ａは電子回路基板の平面図、同図Ｂは窓部に臨む回路部分の概念図、図１４は図１０に示したビデオカメラに設けられているナイトショットスイッチの平面図、そして図１５は図１０に示したビデオカメラの構成ブロック図である。
【０００８】
図１０及び図１１において、符号１は全体として従来技術のビデオカメラを指す。このビデオカメラ１の一例としては本出願人が現在発売している「デジタルビデオカメラ・レコーダー、ＤＲＣ−ＨＣ４０型」を挙げることができる。
【０００９】
このようなビデオカメラ１は、本体１０、この本体１０の上部前方に配設、組み込まれている撮影用ズームレンズ（以下、「ズームレンズ」と略記すす）１１、その後方に配設され、組み込まれているビューファインダー１２、本体１０の一側面に開閉自在に取り付けられている液晶モニター１３、ズームレンズ１１の下方で本体１０の前面に配設され、内部に組み込まれているマイク１４、このマイク１４の下方に形成されている赤外線を送受する窓部１５、本体１０の側面の上方に配設されているナイトショットスイッチ１６、液晶モニター１３の直上の本体１０の側面に設けられているシンプルボタン１７、ビューファインダー１２の右下方で本体１０の背面に設けられている電源スイッチ１８と録画スタートストップボタン１９ａ（図１１）、ビューファインダー１２の直下に取り付けられている電源取付部２０とそこに取り付けられているバッテリーＢ、更に液晶モニター１３の枠部分に配設されている録画スタートストップボタン１９ｂ、フォトボタン２１（図１１）などを備えている。
【００１０】
液晶モニター１３の画面１３ａには、その画面１３ａに表示される各アイコンに触れるだけで撮影操作などが行える電子構造スイッチ手段であるタッチパネルスイッチ構造で形成されていて、シンプルボタン１７を押圧すると、例えば、図１２に示したような各種の大操作項目１３２が搭載されたダイヤル１３１が映出され、上向きの矢印Ｒａ或いは下向きの矢印Ｒｂを押圧することにより使用者が所望する大操作項目１３２を大きく中央部で表示することができる。図示の例では「ピクチャーアプリ（アプリケーションの略）」１３２ａが選択され、大きく映出されている。そしてその下方の空きスペースに各種の細操作項目１３３が表示される。この「ピクチャーアプリ」１３２ａが選択された場合には、フェーダー１３３ａ、オーバーラップ１３３ｂ、及びデジタルエフェクト１３３ｃが表示される。
【００１１】
このような大操作項目１３２を選択する場合は、右下の「ＯＫ」ボタン１３４をタッチすればよく、大操作項目１３２を画面１３ａから消す場合は右上の「×」ボタン１３５にタッチするだけで消すことができる。
【００１２】
従って、この「ピクチャーアプリ」１３２ａが映出されている場合に「ＯＫ」ボタン１３４にタッチすると、図１２Ｂに示したように、液晶モニター１３の画面１３ａが変わり、画面１３ａ上に各細操作項目１３３、即ち、フェーダー１３３ａ、オーバーラップ１３３ｂ、デジタルエフェクト１３３ｃの四辺形のボタンで映出され、それらの内の所望のボタン、例えば、「デジタルエフェクト１３３ｃ」ボタンにタッチすると、「スチル」、「フラッシュ」、「ルミキー」、「トレイル」、「スローシャッター」、「オールドムービー」などを選択、設定できる状態になり、撮影画像に様々な演出を加えることができるようになる。
【００１３】
また、図１０に示したように、マイク１４の周辺の本体１０内には、手振れ検出センサー４０が設けられており、その手振れ検出センサー４０は縦揺れセンサー４１と横揺れセンサー４２からなり、映像の撮影中、手振れが生じた時に作動して主制御ブロック２５の制御の下にビデオ、サウンド記録再生発生処理ブロック２９で撮影した映像の揺れを補正している。
【００１４】
更にまた、本体１０の内部には、図１５に示したように、シンプルボタン１７、電源スイッチ１８、録画スタートストップボタン１９ａ、１９ｂ、フォトボタン２１などがヒューマンインターフェースで接続されており、これらの操作で作動し、或いはリモコン送信器３０からのリモコン赤外線Ｌｂに応答し、所定の信号を出力するリモコン受光部２４により各種ブロックの制御を行う、コンピュータとソフトウエアを搭載した主制御ブロック２５、ズームレンズ１１からの映像をＣＣＤのような固体撮像素子で電気信号に変換する光−電気信号変換ブロック２６、ズームレンズ１１や光−電気信号変換ブロック２６を制御する制御ブロック２７、マイク１４のサウンドを電気信号に変換する処理ブロック２８、光−電気信号変換ブロック２６からの映像電気信号と処理ブロック２８からのサウンド電気信号とを合成して外部記録媒体であるビデオテープ、またはＤＶＤＭａ、或いは他の外部記録媒体である固体メモリーＭｂに記録できる形式のデジタルビデオ信号に処理して記録し、或いはこれらビデオテープ、またはＤＶＤＭａ、或いは固体メモリーＭｂに記録されているデジタルビデオ信号を再生する機能を備えたビデオ、サウンド記録再生処理ブロック２９、そしてこのビデオ、サウンド記録再生処理ブロック２９からケーブルなどを介して液晶モニター１３の画面１３ａ或いは外部モニター（不図示）の画面に映出するためのケーブル類の入出力処理ブロック３１などから構成されている。
【００１５】
前記窓部１５が形成されている本体１０内のその窓部１５に対面して、図１３Ａに示したような電子回路基板２２が配設されており、この窓部１５に相当する楕円形で囲った内部には、赤外線発光部２３とリモートコントロール（以下、単に「リモコン」と記す）受光部２０が形成されている。図１３Ｂに、外装である本体１０に開けられている窓部１５（図１０）に対面する赤外線発光部２３とリモコン受光部２４との位置関係を示した。
【００１６】
ナイトショットスイッチ１６は、図１４に示したように、スライドスイッチからなり、電源スイッチ１８を押圧してビデオカメラ１に電源を入れた状態で、ナイトショットスイッチ１６を「入」ポジションにスライドさせれば、通常ズームレンズ１１と光−電気信号変換ブロック２６との間に介在されている赤外線フィルター（不図示）が外れ、そして主制御ブロック２５はビデオカメラ１がナイトショットモードに切り替わったことを感知して赤外線発光部２３を作動させ、その赤外線発光部２３から或る特定パルスの赤外線を窓部１５から発射させる。
【００１７】
このナイトショット機能は、撮影時の状況が夜間などの被写体の明るさが不足している場合に、前記の暗部照射用赤外線Ｌａを発光させて被写体を照射し、その被写体から反射してくる反射暗部照射用赤外線Ｌａを媒介として暗闇でも撮影ができるようになされた機能である。
【００１８】
従って、電源スイッチ１８で電源を入れた状態で、ナイトショットスイッチ１６を「入」ポジションにスライドさせると、ビデオカメラ１は「ナイトショットモード」に設定され、液晶モニター１３の画面１３ａ上に表示される。次に、録画スタートストップボタン１９ａ或いは１９ｂを押圧すると、暗部照射用赤外線が窓部１５から発射され、その暗部照射用赤外線で暗い被写体を照射し、ズームレンズ１１の後方に配設してある固体撮像素子の光−電気信号変換ブロック２６で光電変換されたデジタルビデオ信号を磁気テープ、ＤＶＤ２７、固体メモリ媒体２８などの記録媒体に記録することができる。
【００１９】
リモコン受光部２４は、操作者がビデオカメラ１を手元で遠隔操作するリモコン送信器３０（図１５）から発射される前記赤外線Ｌａとは異なる特定のパルスのリモコン用赤外線Ｌｂを受信し、パルス信号に変換して、主制御ブロック２５の制御の下に録画、再生、早送り、巻き戻し、停止などの動作を行わせる。
【００２０】
このビデオカメラ１は様々なその他の機能を備えているが、それらは本発明に直接関係が無いので省略する。
【発明の開示】
【発明が解決しようとする課題】
【００２１】
前記のような撮像機能を備えたビデオカメラ１を用いて、車両をドライブ中、運転席のフロントガラスから見える前方の様子を撮影しようとすると、
１．そのビデオカメラ１を車両内の前方部の何処かに固定しなければならないが、現用の  ビデオカメラや車両には、そのような固定手段がないこと
２．何らかの方法で固定できたとしても、常時、記録媒体を駆動しなければならず、記録  媒体に時間的な限度がある場合には、記録媒体を取り替える必要があること
３．ビデオカメラの専用のバッテリーのみでは、長時間、ビデオカメラを作動させ難いこ  と
４．ドライブ中、車両の前方の情景を広角度で撮影できることが必要であるが、ビデオカ  メラのズームレンズの前にたとえワイドコンバージョンレンズが装着されていたとして  も、ドライバーか同乗者がビデオカメラのズームレンズを広角に設定しなければならな  いこと
などの課題がある。
【００２２】
本発明は、これらの課題を解決しようとするものであって、前記のような普及型のビデオカメラを用いて、車両のドライブ中、その車両の前方の広範囲にわたる情景を容易に撮影、記録できるビデオステーション、ビデオカメラ、車載用ビデオカメラ装置及び車両を得ることを目的とする。
【課題を解決するための手段】
【００２３】
それ故、本発明のビデオステーションは、ドライブモード切替手段を備えたビデオカメラを搭載する搭載手段と、前記ドライブモード切替手段の接続端子に係合する受け端子とを備えて構成されていることを特徴とする。また、前記ビデオステーションは車両の電源に接続する電源手段を備え、その車両の電源に接続された電源端子が前記受け端子に配設されていることを特徴とする。この電源手段はシガーライター用電源に接続できる電源コードであることが望ましい。そしてまた、前記ビデオステーションは前記ビデオカメラの撮影用ズームレンズの撮影範囲を更に広角度に広げるワイドコンバージョンレンズを備えていることが望ましい。更に、前記のビデオステーションの前記搭載手段は搭載台を備え、その搭載台の搭載部の所定の位置に前記受け端子が配設されていることが望ましい。
を特徴とする請求項１に記載のビデオステーション。その搭載手段は水平な搭載面を備えた搭載台からなり、その搭載面の周辺に、前記搭載面に垂直に支持板が配設されている。そして更にまた、前記ビデオステーションは前記搭載部に搭載されたビデオカメラを固定するための締結バンドを備えていることが望ましい。
【００２４】
そして本発明のビデオカメラは、映像撮影手段、映像記録再生手段、手振れ防止手段、映像記録再生表示手段、電源手段を備えたビデオカメラにおいて、ドライブモード切替用端子を備えたドライブモード切替受け端子を備えて構成されていることを特徴とする。
【００２５】
そして本発明のビデオカメラは前記ドライブモード切替受け端子に車両の電源から電力を受給できる電源端子が配設されていることが望ましい。また、前記ドライブモード切替受け端子がビデオカメラ本体の底面に配設されていることが望ましい。そしてまた、このビデオカメラは赤外線送受信手段を備えていることが好ましい。
【００２６】
更に、本発明の車載用ビデオカメラ装置は、映像撮影手段、映像記録再生手段、手振れ防止手段、映像記録再生表示手段、電源手段、ドライブモード切替手段、制御手段を備えたビデオカメラにおいて、前記映像撮影手段は、撮影用ズームレンズを備え、前記映像記録再生手段は、記録媒体、該記録媒体に映像を記録し、記録された映像を再生する記録再生回路を備え、前記手振れ防止手段は、手振れ検出センサーを備え、前記映像記録再生表示手段は、前記記録媒体に記録される映像、前記記録媒体に記録された映像、前記制御手段からの制御情報を表示する映像表示装置を備え、電源手段は車両用電源或いは着脱可能なバッテリからなり、前記ドライブモード切替手段は、前記ビデオカメラを通常の記録再生動作モードとドライブ記録モードに切替える制御回路／機構を備え、前記制御手段は、前記ビデオカメラが車両に搭載されたことを検知し、前記制御回路／機構を制御して、前記撮影用ズームレンズを広角にし、前記記録再生回路を前記ドライブ記録モードに切り替え、前記手振れ検出センサーの作動中、前記撮影用ズームレンズを通じて撮影した映像を前記記録媒体に記録すると共に前記映像表示装置に表示し、前記手振れ検出センサーが所定の時間静止した時、前記撮影、記録を停止させることを特徴とする。
【００２７】
そして本発明の車載用ビデオカメラ装置における前記記録媒体への記録は所要の時間間隔で所要の時間づつ行われることが望ましい。また、その前記記録媒体への映像の記録は前記記録媒体の記録可能時間残量に応じて所要の時間間隔で所要の時間づつ行われ、前記記録可能時間残量が無くなれば、前記記録可能時間残量の初めに戻って後続の映像を上書きすることを特徴とする。更にまた、前記車載用ビデオカメラ装置は赤外線送受信手段を備えていることが望ましい。
【００２８】
更にまた、本発明の車両は、ドライバー位置の近傍のダッシュボード上にビデオカメラを搭載できる搭載面と、そのビデオカメラをドライブ記録モードに切り替えられるドライブモードスイッチと電源コンセントとを備えたビデオステーションが予め搭載されていることを特徴とする。
【００２９】
従って、本発明のビデオステーションによれば、ビデオカメラを搭載するだけで、そのビデオカメラを自動的にドライブ記録モードに設定することができる。
【００３０】
そして本発明のビデオカメラによれば、前記のビデオステーションに搭載した時に、自動的にドライブ記録モードに切り替えることができる。
【００３１】
また、本発明の車載用ビデオカメラ装置によれば、車両の運転中、安価なビデオカメラで暗闇でも進行方向の映像を記録媒体に記録することができる。
【００３２】
更にまた、本発明の車両によれば、ドライバーが望めば、本発明のような機能を備えたビデオカメラを容易に搭載することができる。
【発明の効果】
【００３３】
それ故、本発明のビデオステーションによれば、
１）ダッシュボード上に取り付けることができる
２）搭載したビデオカメラをしっかりと固定できる
３）ビデオカメラを搭載することによりビデオカメラのズームレンズを自動的に広角にで  きる
４）更に、ワイドコンバージョンレンズを具備させることにより、ビデオカメラのズーム  レンズの広角度を一層広角にできる
５）車両のシガーライター用電源からビデオカメラへ電力を供給することができる
そして、本発明のビデオカメラは一般に販売されているビデオカメラを若干改造するだけで安価に得られる。
【００３４】
また、本発明の車載用ビデオカメラ装置は、前記ビデオカメラを前記ビデオステーションに搭載することにより得られ、
１）昼夜を問わず、ドライブ中、時々刻々変わる車両の前方を広角度で撮影することがで  きる
２）ドライブ中に発生した事故などの状況などを記録し、過失の度合いの判定材料とする  ことができる
３）ドライビングレコードの表示により、安全運転への警鐘を促すことができる
更にまた、本発明の車両によれば、わざわざ本発明の個別のビデオステーションを用意することなく、安価に得られる普及型のビデオカメラを容易に搭載することができる
など、数々の優れた効果が得られる。
【発明を実施するための最良の形態】
【００３５】
本発明のビデオステーションは、搭載台を中心に構成されており、後記する本発明のビデオカメラをその搭載台に搭載した場合に、そのビデオカメラが備えているドライブモード切替手段であるドライブモード切替受け端子に係合する受け端子が前記搭載台に配設されており、また、車両の電源に接続する電源手段を備え、その車両の電源に接続された電源端子が前記受け端子に配設されている。そしてその車両に搭載されているシガーライター用電源に接続できる電源コードを備えている。
【００３６】
そしてまた、前記ビデオステーションには、前記搭載台の前方端にワイドコンバージョンレンズが配設されている。
【００３７】
更に、前記搭載手段は前記搭載台に搭載されたビデオカメラを、好ましくはその本体の中心部分を固定するための締結バンドを備えている。
【００３８】
このように本発明によれば、ビデオステーションを車両の運転席に近い側のダッシュボード上に接着剤などを用いて取り付けるか、車両の製造時に、その車両のダッシュボードなどに予め形成しておいて、その搭載面にビデオカメラを搭載することにより車載用ビデオカメラ装置を構成することができ、搭載されたビデオカメラを自動的にドライブ記録モードに切り替えることができる。
【００３９】
また、ワイドコンバージョンレンズの存在により、ドライブ記録モードに切り替えられた車載用ビデオカメラ装置のズームレンズの撮影角度を更に広角度に広げることができる。
【００４０】
更にまた、車両のシガーライター用電源から電力を取り出し、搭載されたビデオカメラに電力を供給することができる。
【００４１】
本発明のビデオカメラは、映像撮影手段であるズームレンズ、映像記録再生手段である記録媒体、その記録媒体に映像を記録し、記録された映像を再生する記録再生回路、手振れ防止手段である手振れ検出センサー、前記記録媒体に記録する映像、前記記録媒体に記録された映像、前記制御手段からの制御情報などを表示する液晶パネル型のような映像表示装置、電源手段である車両用電源或いは着脱可能なバッテリ、ドライブモード切替手段であるビデオカメラを通常の記録再生動作モードとドライブ記録モードに切替える制御回路／機構、制御手段であるビデオカメラが車両に搭載されたことを検知し、前記制御回路／機構を制御して、前記撮影用ズームレンズをズームアウトして広角にし、前記記録再生回路を前記ドライブ記録モードに切り替え、前記手振れ検出センサーの作動中、前記撮影用ズームレンズを通じて撮影した映像を前記記録媒体に記録すると共に前記映像表示装置に表示し、前記手振れ検出センサーが所定の時間静止した時、前記記録再生回路を前記撮影、記録を停止させる中央演算装置からなるコンピューター、必要に応じて赤外線送受信手段を備え、そして前記ビデオステーションに搭載された時、ドライブモード切替用端子を備えたドライブモード切替受け端子を備え、また、必要に応じて車両の電源から電力を受給できる電源端子が配設されている。このドライブモード切替受け端子はビデオカメラの底面に配設されている。
【００４２】
このビデオカメラは、通常具備している手振れ検出センサーを用いて、その手振れ検出センサーの作動中は、ドライブ中の車両の前方の状況を所定の時間間隔で、或いは連続的に撮影し、その前方の状況を記録媒体に記録し、前記手振れ検出センサーが所定の時間、静止状態になると、前記の記録を停止させるように構成されている。夜間のドライブ中は、ビデオカメラに前記の暗部照射用赤外線を発光、照射する赤外線発光手段を作動させて撮影し、暗部の映像を記録する。
【００４３】
以下、図を用いて、本発明のビデオステーション、ビデオカメラ、車載用ビデオカメラ装置及び車両の実施例を説明する。
【実施例１】
【００４４】
図１は本発明の一実施例のビデオカメラを示していて、同図Ａはそのビューファインダー及び液晶モニター側から見た外観斜視図、同図Ｂはそのビューファインダー、カセット蓋及びグリップベルト側から見た外観斜視図、同図Ｃはその本体底部から見た外観斜視図、同図Ｄはビューファインダーから見た、そして液晶モニターを開いた状態で示した外観斜視図、図２は本発明のビデオステーションにビデオカメラを搭載した状態の回路ブロック図、図３は本発明の一実施例のビデオステーションの外観斜視図、図４は図１に示した本発明のビデオカメラと本発明のビデオステーションの関係を示していて、同図Ａはそのズームレンズ側から見たビデオカメラをビデオステーションに搭載する前の外観斜視図、同図Ｂはビデオカメラをビデオステーションに搭載して本発明の車載用ビデオカメラ装置を示すズームレンズ側から見た外観斜視図、図５は図４Ａに示したビデオカメラとビデオステーションとの関係を示す電気接続の模式図、図６は車両のダッシュボード上に固定したビデオステーション上にビデオカメラを搭載して、本発明の車載用ビデオカメラ装置が構成された状態を示した略線的斜視図、図７は図２に示した車載用ビデオカメラ装置の動作フローチャート、図８は図７に示したステップＳ７におけるビデオカメラの映像記録再生の動作説明図、そして図９は車載用ビデオカメラ装置のビデオカメラに内蔵の手振れ検出センサーの作動状態に応じて液晶モニターに表示される画面である。
【００４５】
先ず、図１を用いて本発明の一実施例のビデオカメラを説明する。
【００４６】
図１において、符号１Ａは本発明の一実施例のビデオカメラを指す。なお、従来技術のビデオカメラ１と同一の構成部分には同一の符号を付し、重複説明を避けるために説明は省略する。
【００４７】
このビデオカメラ１Ａは、従来技術のビデオカメラ１と同様に、本体１０Ａ、この本体１０Ａの上部前方に配設、組み込まれている、映像撮影手段であるズームレンズ１１（図３及び図４）、その後方に配設され、組み込まれているビューファインダー１２、本体１０Ａの一側面に開閉自在に取り付けられている、記録再生映像、文字情報などを表示する液晶モニター１３、ズームレンズ１１の下方で本体１０Ａの前面に配設され、内部に組み込まれている集音用のマイク１４（図３及び図４）、このマイク１４の下方に配設され、リモコン送信機３０（図２）からの赤外線Ｌを受光し、録画のスタート／ストップなど、本体１０Ａの機能を制御するリモコン受光部２４、また、暗部を照射する赤外線を発光する赤外線発光部２３が背後に配設されている窓部１５（図３及び図４）、そしてまた、マイク１４の周辺の本体１０Ａ内には、手振れ検出センサー４０が設けられており、その手振れ検出センサー４０は縦揺れセンサー４１と横揺れセンサー４２からなり、ビデオカメラ１Ａが車両２００（図６）に搭載されていない場合は、通常の映像の撮影中、手振れが生じた時に作動して、後記する主制御ブロック２５Ａの制御の下にビデオ、サウンド記録再生発生処理ブロック２９で撮影した映像の揺れを補正している。
【００４８】
更に、本体１０Ａの側面の上方に配設されているナイトショットスイッチ１６、液晶モニター１３の直上の本体１０Ａの側面に設けられているシンプルボタン１７、ビューファインダー１２の右下方で本体１０Ａの側面に設けられている電源スイッチ１８と録画スタートストップボタン１９ａ（図１Ｂ、図１Ｃ）、ビューファインダー１２の直下に取り付けられている電源取付部２０とそこに取り付けられているバッテリーＢ、液晶モニター１３の枠部分に配設されている録画スタートストップボタン１９ｂ（図１１）、フォトボタン２１（図３Ｂ）、前記電源取付部２０の側面近傍に配設されているカセット蓋開閉摘み２２（図３Ｂ）、本体１０Ａの液晶モニター１３とは反対側に形成されているカセット蓋２３、このカセット蓋２３に取り付けられているグリップベルト２４、本体１０Ａの底面部に配設されているドライブモード切替受け端子５０（図１Ｃ）などを備えている。
【００４９】
液晶モニター１３の画面１３ａには、その画面１３ａに表示される各アイコンに触れるだけで撮影操作が行えるタッチパネルスイッチ構造で形成されていて、例えば、図１２に示した従来技術のビデオカメラ１のように、各種の大操作項目や各種の細操作項目が表示されるが、本発明の要点とは直接関係がないので、詳細な説明は省略するが、後記のビデオステーション１００にビデオカメラ１Ａを搭載した場合には、図９に示したように、本発明の一大特徴である「ドライブレコード１４０」が表示される。
【００５０】
更に、本発明のビデオカメラ１Ａにおける本体１０Ａの内部には、図２に示したように、シンプルボタン１７、電源スイッチ１８、録画スタートストップボタン１９ａ、１９ｂ、フォトボタン２１、前記各種タッチパネル・スイッチなどがヒューマンインターフェースで接続されており、これらの操作で作動し、或いはリモコン送信器（不図示）からの入力信号Ｌに応答し、所定の信号を出力するリモコン受光部２４により各種ブロックの制御を行う、コンピュータとソフトウエアを搭載した主制御ブロック２５Ａ、ズームレンズ１１からの映像をＣＣＤのような固体撮像素子で電気信号に変換する光−電気信号変換ブロック２６、ズームレンズ１１や光−電気信号変換ブロック２６を制御する制御ブロック２７、マイク１４のサウンドを電気信号に変換する処理ブロック２８、光−電気信号変換ブロック２６からの映像電気信号と処理ブロック２８からのサウンド電気信号とを合成してビデオテープ、ＤＶＤ、或いは固体メモリなどの記録媒体Ｍであるに記録できる形式のデジタルビデオ信号に処理して記録し、或いは記録媒体Ｍに記録されているデジタルビデオ信号を再生する機能を備えたビデオ、サウンド記録再生処理ブロック２９、そしてこのビデオ、サウンド記録再生処理ブロック２９からケーブルなどを介して液晶モニター１３或いは外部モニター（不図示）に映出するためのケーブル類の入出力処理ブロック３１、前記主制御ブロック２５ＡにＡ／Ｄコンバータ４３を介して接続されている縦揺れセンサー４１及び横揺れセンサー４２からなる手振れ検出センサー４０、更に主制御ブロック２５Ａに接続されているドライブモード切替受け端子５０などから構成されている。
【００５１】
ナイトショットスイッチ１６は、スライドスイッチからなり、電源スイッチ１８を押圧してビデオカメラ１Ａに電源を入れた状態で、ナイトショットスイッチ１６を「入」ポジションにスライドさせれば、通常、ズームレンズ１１と光−電気信号変換ブロック２６との間に介在されている赤外線フィルター（不図示）が外れ、そして主制御ブロック２５Ａはビデオカメラ１Ａがナイトショットモードに切り替わったことを感知して赤外線発光部２３Ａを作動させる。
【００５２】
次に、図３乃至図５を用いて、本発明の一実施例のビデオステーション１００を説明する。このビデオステーション１００は、扁平な直方体の搭載台１１０を中心に構成されていて、その搭載台１１０の各側辺から垂直に支持板１２１、１２２、１２３、１２４が形成されている。
【００５３】
そして搭載台１１０の搭載面１１１にはビデオカメラ１Ａの底面部に配設されているドライブモード切替受け端子５０と係合し、各端子と接続できる受け端子１３０がその搭載面１１１から少し高く突出した構造で配設されている。
【００５４】
また、搭載台１１０の長辺の一側面１１２には電源コンセント１４０が配設されている。
【００５５】
更にまた、搭載台１１０の一端面１１３側にワイドコンバージョンレンズ１５０が配設されている。このワイドコンバージョンレンズ１５０は一端面１１３或いはその一端面１１３側の側面１１２とこの側面１１２に対向した側面から斜め上方に伸びる一対のアーム１５１、１５２で、搭載台１１０にビデオカメラ１Ａが搭載された場合に、そのズームレンズ１１の光軸が一致する高さ位置になるように支持されている。
【００５６】
そして更にまた、搭載台１１０の各長辺の側面には、搭載面１１１に搭載されたビデオカメラ１Ａを締結する、両端に、例えば、イージーファスナーのような係合部材１７１を備えた締結バンド１７０が固定されている。搭載したビデオカメラ１Ａは支持板１２１、１２２、１２３、１２４及び受け端子１３０で通常固定できるが、強い振動がビデオカメラ１Ａに掛かる可能性がある場合には、この締結バンド１７０で締結するとよい。
【００５７】
前記の電源コンセント１４０には、直流電源コード１６０が接続される。この直流電源コード１６０は電圧変換器１６１と、この電圧変換器１６１の一端にはコード１６２を介して車両２００に備え付けられているシガーライター用電源ソケット２２０に差し込み、車両２００の電源に接続できる車両側プラグ１６３が、そして電圧変換器１６１の他端にはコード１６４を介してビデオステーション１００の電源コンセント１４０に接続できるビデオステーション側プラグ１６５が接続されている。
【００５８】
前記のビデオステーション１００の搭載面１１１には、図４Ａに示したように上方から、ビデオカメラ１Ａのズームレンズ１１がワイドコンバージョンレンズ１５０の方を向くように、そしてドライブモード切替受け端子５０が受け端子１３０に嵌合するようにビデオカメラ１Ａを搭載する（図４Ｂ）。そして電源コンセント１４０に直流電源コード１６０のプラグ１６５を差し込み、車両側プラグ１６３は車両２００のシガーライター用電源ソケット２２０に差し込む。
【００５９】
図５にビデオカメラ１Ａとビデオステーション１００との電気接続関係を模式図で示した。ビデオステーション１００の内部は、受け端子１３０の特定端子にドライブモードスイッチ１３１が配線１３２で接続されており、また、受け端子１３０の他の特定端子に電源コンセント１４０が配線１４１で接続されている。電源コンセント１４０には前記のように、直流電源コード１６０のプラグ１６５が接続される。
【００６０】
このように配線されたビデオステーション１００の搭載面１１１から少し高く突出している受け端子１３０に、ビデオカメラ１Ａの底面部に配設されているドライブモード切替受け端子５０を差し込むことにより、ドライブモードスイッチ１３１（図４）が入り、ビデオカメラ１Ａがドライブ記録モード（詳細は後記）に切り替えられ、また、車両２００の電源電圧が電圧変換器１６１で、例えば、１２ボルトから８ボルトに変換され、その降下した電圧が受け端子１３０を通じてビデオカメラ１Ａに供給されることになる。
【００６１】
前記のような構成のビデオステーション１００は、図６に示したように、その底面を接着剤を用いてダッシュボード２１０上に予め固定しておく。固定位置は視野角がほぼ同じとなることからドライバーに近い側が望ましい。そして直流電源コード１６０のプラグ１６５を固定されたビデオステーション１００の電源コンセント１４０に接続し、プラグ１６３をシガーライター用電源ソケット２２０に差し込んで、ビデオステーション１００を作動状態にしておく。
【００６２】
このような作動状態のビデオステーション１００の搭載面１１１に支持板１２１、１２２、１２３、１２４を用いて図４Ｂに示したようにビデオカメラ１Ａを搭載すると、支持板１２１、１２２、１２３、１２４及び受け端子１３０に支持、固定され、そしてそのビデオカメラ１Ａはドライブ記録モードに切り替わる。
【００６３】
なお、図６にはビデオカメラ１Ａを締結バンド１７０で締結していないが、必要に応じて締結バンド１７０で締結するとより安全である。また、符号２３０はフロントガラスを、符号２４０はドライブメータを、符号は２５０バックミラーを、そして符号２６０はＡ／Ｖ機器を指す。
【００６４】
前記のように、本発明のビデオステーション１００の搭載面１１１に本発明のビデオカメラ１Ａを搭載した場合の接続回路を図２に示した。
【００６５】
次に、図１乃至図６の他に図７乃至図９も加えて本発明のビデオステーション１００に搭載して構成した本発明の車載用ビデオカメラ装置１Ｂの動作を説明する。
【００６６】
先ず、車両２００のダッシュボード２１０上に固定されている本発明のビデオステーション１００の電源コンセント１４０に直流電源コード１６０のプラグ１６３を接続し、一方のプラグ１６３をシガーライター用電源２２０に差し込み、そのような状態のビデオステーション１００の搭載面１１１にビデオカメラ１Ａを搭載し（図７のステップＳ１）、そのビデオカメラ１Ａのドライブモード切替受け端子５０とビデオステーション１００の受け端子１３０とを接続して車載用ビデオカメラ装置１Ｂとする（ステップＳ２）。ビデオカメラ１Ａの電源スイッチ１８を投入する（ステップＳ３）。そうすると、主制御ブロック２５Ａが作動し、制御ブロック２７がズームレンズ１１を広角に設定する。ズームレンズ１１のフォーカスも、例えば、２メートル以上の距離に合うように設定される。なお、ビデオカメラ１ＡにバッテリーＢが装着されているが、ビデオステーション１００に搭載されると、バッテリーＢからの電力の供給は停止し、シガーライター用電源２２０から電力が供給される。
【００６７】
次に、ビデオカメラ１Ａの液晶モニター１３を開くと、その画面１３ａにドライブ記録モードが表示される（ステップＳ４）。ドライブ記録モードの表示の条件としては、
１．ビデオカメラ１Ａに記録媒体Ｍが装着されていない場合、記録媒体Ｍの装着要請表示２．記録媒体Ｍがビデオカメラ１Ａに装着されていても、例えば、１５分間の撮影が出来  なければ、記録媒体Ｍの入れ替えか、既に記録されている内容を消去するようにとの表  示
を行う（ステップＳ５）。
【００６８】
次に、車両２００のドライブを開始する（ステップＳ６）。そうすると通常の運転中は車両２００が上下、前後左右に揺れ、この揺れを縦揺れセンサー４１及び又は横揺れセンサー４２からなる手振れ検出センサー４０が感知し、その手振れ検出センサー４０からの微弱なアナログ信号を増幅した後、Ａ／Ｄコンバータ４３でデジタル信号に変換し、主制御ブロック２５Ａが作動してビデオ、サウンド記録再生処理ブロック２９を、例えば、次のように制御し、車両２００の進行前方の映像を広角度にわたって記録し始め、また、映像の撮影中に車両２００の外部音、搭乗者などの会話などの音をマイク１４が集音し、処理ブロック２８を通じてビデオ、サウンド記録再生処理ブロック２９で処理され、映像信号と共に記録媒体Ｍに記録される（ステップＳ７）。なお、以下の説明においては音は映像に付随して記録されるので、音に関する記録の説明は省略する。
【００６９】
前記ビデオ、サウンド記録再生処理ブロック２９は、図８に示したように、記録媒体Ｍの１番目のメモリー番地に１分目の映像を記録し、次に、２番目のメモリー番地に２分目の映像を記録し、続いて３番目のメモリー番地に３分目の映像を記録し、以下同様に、順次、映像を記録して、１５番目のメモリー番地に１５分目の映像を記録する。
【００７０】
１５番目のメモリー番地に１５分目の映像を記録し終えると、１番目の記録部に上書きを行い、その１番目のメモリー番地に１６分目の映像を、同様に２番目の記録部に上書きを行い、その２番目のメモリー番地に１７分目の映像を、と順次記録して、このようにエンドレスで１５分前まで映像の記録を行うことができる。
【００７１】
車両２００が停止すると、手振れ検出センサー４０は揺れの無いことを感知する（ステップＳ８）。手振れ検出センサー４０からの出力は出ず、従って、Ａ／Ｄコンバータ４３の出力も出ないので、主制御ブロック２５Ａは入力が無いことを計時を開始する。
【００７２】
５分程度の揺らぎ無しの運転は、停車、渋滞などが想定されるので、５分程度の間は、前記の映像の記録は続行するように前記計時を設定しておく（ステップＳ１０）。
【００７３】
しかし、何らかの事故が発生した場合、例えば、１０分以上停車したとすると、主制御ブロック２５Ａはこれを計時し、主制御ブロック２５Ａはビデオ、サウンド記録再生処理ブロック２９による前記記録を一時停止させる。車両２００が再度始動すると、手振れ検出センサー４０が作動し、主制御ブロック２５Ａはビデオ、サウンド記録再生処理ブロック２９を作動させて前記の映像の記録を開始する（ステップＳ１１）。
【００７４】
液晶モニター１３を開くと、その画面１３ａに図９に示したように、「ドライブレコード１４０」が表示され、車両２００の走行中は同図Ａに示したように「連続記録中」と表示される。しかし、車両２００が１０分以上停車して手振れ検出センサー４０が作動すると、同図Ｂに示したように、「記録中断」と「再開しますか」とを表示する。ドライバーは運転状況を判断して、何れかの表示をタッチすることにより、映像の記録が中断されるか、再開される。
【００７５】
前記例示した「５分」とか「１０分」とか「１分」とかの時間は主制御ブロック２５Ａに格納されているプログラムにより任意に設定、変更することができる。
【００７６】
夜間の走行時には、ビデオカメラ１Ａのナイトショットスイッチ１６を作動させて、赤外線発光部２３から前方に赤外線を照射することにより、暗闇であっても、映像を映し出し、記録媒体Ｍに記録することができる。
【００７７】
前記の実施例においては、記録媒体Ｍの残量を少なくとも１０以上必要との前提で１分間隔で車両２００の前方の映像を間欠的に記録する例を挙げたが、映像の記録は連続的に記録する方が好ましい。このように連続的に映像を記録したい場合には、例えば、現在市販されているビデオカメラで記録媒体Ｍとして「ｍｉｎｉＤＶカセットテープ」を用いれば、ＳＰ記録モードで最大８０分間連続して記録できるものがあるので、このような未だ記録されていない「ｍｉｎｉＤＶカセットテープ」を用いると、前記連続記録には十分に通用できる。従って、このような記録媒体Ｍを用いた場合には、ドライバーなどが車載用ビデオカメラ装置１Ｂの録画スタートストップボタン１９ａを押圧すれば、「ｍｉｎｉＤＶカセットテープ」に連続して映像を記録することができる。
【００７８】
記録媒体Ｍとしては、現在、長時間記録できる固体メモリもあれば、ＤＶＤを搭載したビデオカメラも市販されているので、長時間記録することができる。
【００７９】
しかし、ｍｉｎｉＤＶカセットテープ、固体メモリ、ＤＶＤなどの何れの記録媒体Ｍを用いて長時間記録できるとしても、記録時間にはそれぞれ自ずから限度があり、その記録限度を超えて映像を記録したい場合には、既に記録されている映像を消去するか、それぞれの新しい記録媒体Ｍと交換しなければならないという作業が生じるため、本発明における前記実施例のように、所要の時間間隔で繰り返し自動的に上書きする記録方法をとれば、運転中、記録媒体Ｍを交換することなくエンドレスで映像を記録することができるので、本発明の方が有用である。
【００８０】
前記ビデオステーション１００はダッシュボード２１０上に接着剤を用いて後付で固定したが、この種の車載用ビデオカメラ装置１Ｂは、事故原因を明確に記録できることから事故処理が迅速に、かつ的確に行うことができることから、近い将来においては、車両に必須の装備となると考えられることから、車両の製造時に、シガーライター用電源２２０のように標準装備として、そのダッシュボード上に本発明のビデオステーション１００を嵌合などの取付手段で予め搭載しておくこともできる。
【００８１】
また、ビデオカメラ装置１Ａの構成、構造によっては、必ずしもダッシュボード２１０上に搭載する必要はなく、運転席の天井などにも取り付けることもできることを付言しておく。
【産業上の利用可能性】
【００８２】
本発明のビデオステーション、ビデオカメラ、車載用ビデオカメラ装置及び車両は電子機器メーカのみならず、部品メーカ、車両メーカなどで利用することができる。
【図面の簡単な説明】
【００８３】
【図１】本発明の一実施例のビデオカメラを示していて、同図Ａはそのビューファインダー及び液晶モニター側から見た外観斜視図、同図Ｂはそのビューファインダー、カセット蓋及びグリップベルト側から見た外観斜視図、同図Ｃはその本体底部から見た外観斜視図、同図Ｄはビューファインダーから見た、そして液晶モニターを開いた状態で示した外観斜視図である。
【図２】ビデオステーションにビデオカメラを搭載した状態の回路ブロック図である。
【図３】本発明の一実施例のビデオステーションの外観斜視図である。
【図４】図１に示した本発明のビデオカメラと本発明のビデオステーションの関係を示していて、同図Ａはそのズームレンズ側から見た外観斜視図、同図Ｂは本発明のビデオカメラを本発明のビデオステーションに搭載した状態を示すズームレンズ側から見た外観斜視図である。
【図５】図４に示したビデオカメラとビデオステーションとの関係を示す電気接続の模式図である。
【図６】図４に示したビデオカメラが搭載された状態のビデオステーションを車両のダッシュボード上に固定した状態を示した略線的斜視図である。
【図７】図２に示したビデオステーションにビデオカメラを搭載した状態の動作フローチャートである。
【図８】図７に示したステップＳにおけるビデオカメラの映像記録再生の動作説明図である。
【図９】ビデオカメラに内蔵の手振れ検出センサーの作動状態に応じて液晶モニターに表示される画面である。
【図１０】従来技術のビデオカメラの撮影レンズ側から見た外観斜視図である。
【図１１】図１０のビデオカメラの液晶モニターを開き、ビューファインダーから見た外観斜視図である。
【図１２】図１０に示した液晶モニターに映出される画面の平面図である。
【図１３】図１０に示したビデオカメラの正面窓部とその内方に組み込まれている電子回路基板とを示していて、同図Ａは電子回路基板の平面図、同図Ｂは窓部に臨む回路部分の概念図である。
【図１４】図１０に示したビデオカメラに設けられているナイトショットスイッチの平面図である。
【図１５】図１０に示したビデオカメラの構成ブロック図である。
【符号の説明】
【００８４】
１Ａ…本発明の一実施例のビデオカメラ、１Ｂ…車載用ビデオカメラ装置、１０Ａ…本体、１１…ズームレンズ、１２…ビューファインダー、１３…液晶モニター、１３ａ…液晶モニター１３の画面、１４…マイク、１５…窓部、１６…ナイトショットスイッチ、１７…シンプルボタン、１８…電源スイッチ、１９ａ，１９ｂ…録画スタートストップボタン、２０…電源取付部、２１…フォトボタン、２３…赤外線発光部、２４…リモコン受光部、２５Ａ…主制御ブロック、２６…光−電気信号変換ブロック、２７…制御ブロック、２８…処理ブロック、２９…ビデオ、サウンド記録再生処理ブロック、３１…ケーブル類の入出力処理ブロック、４０…手振れ検出センサー、４１…縦揺れセンサー、４２…横揺れセンサー、５０…ドライブモード切替受け端子、１００…本発明のビデオステーション、１１０…搭載台、１１１…搭載面、１２１，１２２，１２３，１２４…支持板、１３０…受け端子、１３１…ドライブモードスイッチ、１４０…電源コンセント、１５０…ワイドコンバージョンレンズ、１６０…直流電源コード、１６１…電圧変換器、１６３，１６５…プラグ、１７０…締結バンド、２００…本発明の車両、２１０…ダッシュボード、２２０…シガーライター用ソケット（電源）、２３０…フロントガラス、Ｂ…バッテリー、Ｌ…リモコン用赤外線、Ｍ…記録媒体
【図１】
2006261865.tif 000003
【図２】
2006261865.tif 000004
【図３】
2006261865.tif 000005
【図４】
2006261865.tif 000006
【図５】
2006261865.tif 000007
【図６】
2006261865.tif 000008
【図７】
2006261865.tif 000009
【図８】
2006261865.tif 000010
【図９】
2006261865.tif 000011
【図１０】
2006261865.tif 000012
【図１１】
2006261865.tif 000013
【図１２】
2006261865.tif 000014
【図１３】
2006261865.tif 000015
【図１４】
2006261865.tif 000016
【図１５】
2006261865.tif 000017